(57)【特許請求の範囲】
【請求項１】
表示装置と本体装置を備えた携帯型機器において、
前記本体装置は、
入力操作キーと、
中央処理装置と、
前記中央処理装置が前記入力操作キーからの入力信号を演算して出力した表示用電気信号を前記表示装置に送出するための第１のコネクタとを有し、
前記表示装置は、
液晶表示パネルと、
前記液晶表示パネルの表面に配され、前記液晶表示パネルの表面と対向する面にボスを有する表示レンズと、
前記液晶表示パネルの裏面に配され、前記液晶表示パネルの裏面と対向しない面に、表示用集積回路と、記憶媒体カードと、前記第１のコネクタと接続ケーブルを介して接続している時に前記本体装置から表示用電気信号を取得する第２のコネクタとを有する基板と、
前記基板の側面および前記液晶表示パネルの側面と前記基板の縁部の一部を覆い、前記表示レンズのボスによって前記表示レンズに対して固定的に係合される板金枠とを有し、
前記ボスで前記板金枠を係合することで、前記記憶媒体カードと前記第２のコネクタとを露出させた状態で、前記表示レンズと前記液晶表示パネルと前記基板とを一体化した構成を有しており、
前記本体装置の前記第１のコネクタと前記表示装置の前記第２のコネクタとの接続ケーブルを介した着脱により表示用電気信号の接続を解除し、前記表示装置の交換を可能にすることを特徴とする携帯型機器。
【発明の詳細な説明】
【０００１】
【発明の属する技術分野】
本発明は、液晶表示装置を備えた携帯型機器の改良に関するものである。
【０００２】
【従来の技術】
従来の携帯型機器は、マスクＲＯＭやフラッシュメモリ−型ＲＯＭ類を内蔵して記憶媒体を保有したり、交換するものなどがある。
またこの携帯型機器には、液晶表示装置で記憶媒体情報の表示を行っていた。
【０００３】
【発明が解決しようとする課題】
上記した従来の携帯型機器は、マスクＲＯＭやフラッシュメモリ−型ＲＯＭ類を該機器の筐体内部に設けられ、固定された印刷配線板上に装備していたため以下に示す問題を有している。すなわち、記憶媒体固定型のＲＯＭを装備した電子辞書等では、内蔵された収録内容を交換することができず、製品を買い換え等により交換する必要がある。
【０００４】
さらに従来の記憶媒体書き込み対応型フラッシュＲＯＭ類を装備した携帯機器では、該携帯機器の筐体外部へ設けられたフラッシュＲＯＭ内蔵型メモリ−カ−ド交換用蓋の開閉後、該カ−ドを交換することができるが、液晶表示装置を交換することができないため、表示内容が該装置固有のものに限定され、カラ−画面等の違う表示内容を希望した場合、製品を買い換え等により交換する必要がある。
【０００５】
【課題を解決するための手段】
本発明は、上記した背景に鑑みてなされたもので、液晶表示装置と記憶媒体回路機構を一体化して交換可能にするものである。
【０００６】
また、本発明の液晶表示装置には、アクリル等の樹脂成形で形成されたレンズと記憶媒体固定型のＲＯＭを装備した液晶モジュ−ル或いは記憶媒体書き込み対応型フラッシュＲＯＭ類を装備した液晶モジュ−ルを一体化して交換可能な機構を具備した構成とした。
【０００７】
【発明の実施の形態】
本発明に係わる携帯型機器の実施の形態を、図１を用いて説明する。図１は、本発明の携帯型機器の外観斜視図である。入力操作キ−１が３０個前後配列された操作パネル２の上方に表示部３を配置して且つ該表示部に操作パネル２より凸状に形成したアクリルレンズ３aで構成されている。
【０００８】
【実施例】
（実施例１）
以下、図面に基づいて本発明の液晶表示装置の取り外し状態の構成を説明する。図２及び図３は、該液晶表示装置のモジュ−ルを携帯型機器より取り外した状態を示す斜視図である。アクリルレンズ３aと一体構成された液晶モジュ−ル４がアクリルレンズ裏面上に具備したボス３bと携帯表示装置本体５の締結用ボス５aへネジ４aで締結されることによって脱着可能な構成となっており、該液晶表示装置をモジュ−ル一体で携帯型機器を分解することなく脱着、交換可能なことを示す。
【０００９】
次に、液晶表示装置のモジュ−ルの一実施例を図４及び図５に基づいて以下に説明する。印刷配線板６上には、記憶媒体集積回路６a及び液晶表示駆動用集積回路６bと液晶パネル７への連絡結線用熱圧着シ−ト６cが装着されており、該印刷配線板６とアクリル樹脂成形レンズ３aとの間へ液晶パネル７を配置する構成となっており且つ、これら構成部品を最外部より板金枠８でアクリル樹脂成形レンズ３aと挟み込み締結する構造となっており、該アクリル成形樹脂成形レンズ３a上に具備された凸状ボス３cが該板金枠８両側に配置された穴８aを通り抜けた後にアクリル樹脂のボス３cを熱圧着による塑性変形によってかしめられた係合部３dにて締結する構造である。
【００１０】
次に、液晶表示モジュ−ルと本体側の電気的接続の一実施例を図６に基づいて以下に説明する。本体側５には、主印刷配線版９が備えられ且つ、中央処理装置を具備した集積回路９aと接続コネクタ−９cが実装され、入力操作キ−１により入力された電気信号を主印刷配線板９内を介し中央処理装置で演算された電気信号として再び該印刷配線板を介し、接続コネクタ−９cと締結された接続ケ−ブル９bより接続コネクタ−６ｄを介し表示部液晶表示モジュ−ル側へ電気信号を接続する構造である。
（実施例２）
次に、液晶表示モジュ−ルの他の一実施例を図７に基づいて以下に説明する。印刷配線板６上には、記憶媒体書き込み対応型フラッシュＲＯＭを内蔵したメモリ−カ−ド型集積回路６ｅが実装されており、図１及び図２で示した液晶表示装置を取り外した状態で該集積回路内に装着された書き込み対応型メモリ−カ−ド６ｆを脱着可能とした構造である。 ここで使用するメモリーカードの例としては、ＳＤメモリ−、スマ−トメディア、メモリ−スティックやマルチメディアカ−ド、コンパクトフラッシュ等がある。
【００１１】
【発明の効果】
本発明は、以上のような形態で実施され、以下に記載されるような効果を奏する。本発明に係る携帯型機器によれば、予め記憶媒体集積回路を具備した液晶表示装置と筐体意匠部レンズを一体化して容易に脱着可能な構造とすることによって、携帯型機器の収録媒体及び液晶表示部を交換可能となる。
【図面の簡単な説明】
【図１】本発明の携帯型機器の外観斜視図である。
【図２】本発明に係る表示装置の取り外した状態を示す斜視図である。
【図３】本発明に係る表示装置の取り外し方法を示す斜視図である。
【図４】本発明に係る表示装置の液晶モジュ−ルの構成を示す斜視図である。
【図５】記憶媒体固定型集積回路を装着した表示装置の構成例を示す斜視図。
【図６】本発明に係る表示装置の液晶モジュ−ルと本体の電気的接続の構造例を示す斜視図。
【図７】記憶媒体変更型集積回路を装着した表示装置の構成例を示す斜視図。
【符号の説明】
１    入力操作キ−
２    操作パネル
３    表示部
３ａ  レンズ
３ｂ、ｃ    ボス
３ｄ  熱かしめ部
４    アクリルレンズ
４ａ  締結ネジ
５    本体
５ａ  ボス
６    印刷配線板
６ａ  記憶媒体固定型集積回路
６ｂ  液晶駆動用集積回路
６ｃ  熱圧着型導通シ−ト
６ｄ  接続コネクタ−
６ｅ  記憶媒体変更型集積回路
６ｆ  記憶媒体書き込みカ−ド
７    液晶表示パネル
８    板金枠
８ａ  穴
９    主印刷配線板
９ａ  集積回路
９ｂ  接続ケ−ブル
９ｃ  接続コネクタ−
【図１】
0003822019.tif 000002
【図２】
0003822019.tif 000003
【図３】
0003822019.tif 000004
【図４】
0003822019.tif 000005
【図５】
0003822019.tif 000006
【図６】
0003822019.tif 000007
【図７】
0003822019.tif 000008